(57)【要約】【課題】構造が改良されたストローを提供する。【解決手段】構造が改良されたストローはチューブを備える。チューブはプラスチック材料から製作されており、中空の円筒状を呈し、一端に複数の叉部およびそれらの間に位置する複数の開口部を有する。叉部は本体部と先端部を有する。本体部は一端がチューブに連結されており、他端が先端部に連結されており、全体の幅が一致する。先端部は円弧状を呈する。上述した構造の特徴により、周知のストローの開口部にドリンク中の固体物が詰まる、ドリンク中のフルーツスライスなどの比較的大きい固体物を刺しても取り上げることができないという問題を解決することができる。【選択図】  図２
2018011954.tif 000002
【特許請求の範囲】
【請求項１】
ストロー本体を備え、
前記ストロー本体は、プラスチック材料から製作されており、中空の円筒状を呈し、一端に複数の叉部およびそれらの間に位置する複数の開口部を有し、
前記叉部は、本体部と先端部を有し、
前記本体部は、一端が前記ストロー本体に連結されており、他端が前記先端部に連結されており、全体の幅が一致し、
前記先端部は円弧状を呈することを特徴とする構造が改良されたストロー。
【請求項２】
前記叉部は、縁部に複数の歯部を有することを特徴とする請求項１に記載の構造が改良されたストロー。
【請求項３】
前記開口部は、数が二つであり、前記ストロー本体の径方向に沿って相対する両側に位置しており、
前記叉部は、数が二つであり、前記ストロー本体の径方向に沿って相対する両側に位置していることを特徴とする請求項１に記載の構造が改良されたストロー。
【請求項４】
前記叉部は数が四つであり、前記ストロー本体の径方向に沿って相対する両側に二つずつ位置しており、
前記開口部は二つの第一開口部および二つの第二開口部を有し、
二つの前記第一開口部は、前記ストロー本体の径方向に沿って相対する両側に位置しており、かつ異なる側辺の二つの前記叉部の間に位置しており、
二つの前記第二開口部は、前記ストロー本体の径方向に沿って相対する両側に位置しており、かつ同じ側辺の二つの前記叉部の間に位置していることを特徴とする請求項１に記載の構造が改良されたストロー。
【請求項５】
二つの前記第一開口部は二つの前記第二開口部より大きく形成されていることを特徴とする請求項４に記載の構造が改良されたストロー。
【請求項６】
前記開口部は円弧状を呈する底部を有することを特徴とする請求項１に記載の構造が改良されたストロー。
【請求項７】
前記開口部は最大深度が前記ストロー本体の内径の１倍から２倍の間であることを特徴とする請求項１に記載の構造が改良されたストロー。
【発明の詳細な説明】
【技術分野】
【０００１】
本発明は、ストローに関し、詳しくは構造が改良されたストローに関するものである。
【背景技術】
【０００２】
図１に示すように、容器中の液体や調理された動物長骨の髄液などを吸うために使う従来のストローは中央に流体通路２１を有するプラスチック製管体２０からなる。ストローは直径０．５ｃｍ前後が一般的であり、ヨーグルトやタピオカミルクティーなどのドリンクを吸う際、直径１．５ｃｍが比較的好ましい。
【０００３】
ドリンクや食品を吸うことができるストローは、内部の気圧を外部の大気圧より小さくすることによって飲み物や食べ物を吸い上げて運ぶことが作用原理である。詳しく言えば、ストロー内の空気の一部分を吸い出すことによってストロー内の圧力を小さくする。このとき外部の大気圧がストロー内の気圧より大きいため、大気圧の重みはストロー内の液体を押し付け、上昇させる。ストロー内の空気を吸い出すことを止めるとストロー内の気体と外部の気体とが一体になる、即ちストロー内の気体圧力と外部の大気圧力とが同じであるため、外部の大気圧は重みでストロー内の液体を上昇させることができなくなるとともに、ストロー内の液体は降下する。一方、壁面に穴があるストローでドリンクを吸い取る際、ストローの壁面の穴が大気圧に接触すれば、ストロー内の気体と外部の気体とが一体になり、ストロー内の気体圧力と外部の大気圧力とが同じであるため、容器から液体を吸い上げることが困難である。
【０００４】
１９世紀のアメリカでは清涼なカクテルが多くの人に愛飲されていた。当時、口内温度が冷たいカクテルを温くさせてしまうことを避けるために中空の麦わらでカクテルを吸って飲んでいた。しかしながら、麦わらは折れやすいだけでなく、匂いがカクテルに移ってしまう。それに対し、巻きたばこの製造者マービン・ストーンが紙の螺旋から作成したストローは折れにくく、いやな味がしない。従って、カクテルのほかに別の清涼ドリンクを飲む時にも、紙ストローはよく使用されるようになった。
【０００５】
それ以後、プラスチック製品が普及し、柔軟性、外観および製造上の利便性が紙ストローに優れたため、紙ストローに代わって、現今よく見掛けられているプラスチック製ストローに進化してきた。
【０００６】
一方、現代人に求められたドリンクの多様化に応じるため、ドリンクにタピオカ、蒟蒻、果肉などを加えることがよくある。周知のストローは底部が容器の底面に接触するため、容器の底部に沈殿したタピオカ、蒟蒻、果肉などはストロー内に吸引されず、ストローの開口部に詰まり、ストローを塞いてしまう。
【０００７】
そのほかに、フルーツスライスが添加してあるフルーツティーを飲む際、フルーツティー中のフルーツスライスをストローで吸い出すことはできない。つまり、ドリンクを飲み干さないとフルーツスライスを取り出すことができない。従って、周知のストローでドリンク中のフルーツスライスを取り出すことは非常に困難である。
【発明の概要】
【発明が解決しようとする課題】
【０００８】
本発明は、ストローの構造を改良することによってドリンク中の固体物が周知のストローによく詰まる、ドリンク中のフルーツスライスなどの比較的大きい固体物を刺しても取り上げることができないという問題を解決できるストローを提供することを主な目的とする。
【課題を解決するための手段】
【０００９】
上述した課題を解決するため、構造が改良されたストローはストロー本体を備える。
【００１０】
ストロー本体はプラスチック材料から製作されており、中空の円筒状を呈し、一端に複数の叉部およびそれらの間に位置する複数の開口部を有する。叉部は本体部と先端部を有する。本体部は一端がストロー本体に連結されており、他端が先端部に連結されており、全体の幅が一致する。先端部は円弧状を呈する。
【００１１】
比較的好ましい実施形態において、叉部は縁部に複数の歯部を有する。
【００１２】
比較的好ましい実施形態において、開口部は数が二つであり、ストロー本体の径方向に沿って相対する両側に位置している。叉部は数が二つであり、ストロー本体の径方向に沿って相対する両側に位置している。
【００１３】
比較的好ましい実施形態において、叉部は数が四つであり、ストロー本体の径方向に沿って相対する両側に二つずつ位置している。開口部は二つの第一開口部および二つの第二開口部を有する。二つの第一開口部はストロー本体の径方向に沿って相対する両側に配置され、かつ異なる側辺の二つの叉部の間に位置している。二つの第二開口部はストロー本体の径方向に沿って相対する両側に位置しており、かつ同じ側辺の二つの叉部の間に位置している。
【００１４】
比較的好ましい実施形態において、二つの第一開口部は二つの第二開口部より大きく形成されている。
【００１５】
比較的好ましい実施形態において、開口部は円弧状を呈する底部を有する。
【００１６】
比較的好ましい実施形態において、開口部は最大深度がストロー本体の内径の１倍から２倍の間である。
【００１７】
上述した構造の特徴により、周知のストローの開口部にドリンク中の固体物が詰まる、ドリンク中のフルーツスライスなどの比較的大きい固体物を刺しても取り上げることができないという問題を解決することができる。
【図面の簡単な説明】
【００１８】
【図１】従来のストローを示す斜視図である。
【図２】本発明の第１実施形態によるストローを示す斜視図である。
【図３】本発明の第１実施形態によるストローを示す正面図である。
【図４】本発明の第１実施形態によるストローが使用された状態を示す側面図である。
【図５】本発明の第１実施形態によるストローが使用された状態を示す別の側面図である。
【図６】本発明の第２実施形態によるストローを示す斜視図である。
【図７】本発明の第３実施形態によるストローを示す正面図である。
【図８】本発明の第４実施形態によるストローを示す正面図である。
【発明を実施するための形態】
【００１９】
（第１実施形態）
図２および図３に示すように、本発明の第１実施形態による構造が改良されたストローはストロー本体１０を備える。
【００２０】
ストロー本体１０は、プラスチック材料から製作され、中空の円筒状を呈し、一端に二つの叉部１１およびそれらの間に位置する二つの開口部１２を有する。二つの開口部１２はストロー本体１０の径方向に沿って相対する両側に形成される。二つの叉部１１はストロー本体１０の径方向に沿って相対する両側に配置され、それぞれ本体部１１１と先端部１１２を有する。本体部１１１は一端がストロー本体１０に連結され、他端が先端部１１２に連結され、全体の幅が一致する。先端部１１２は円弧状を呈する。開口部１２は底部が円弧状を呈し、最大深度がストロー本体１０の内径の１倍から２倍の間である。
【００２１】
図４に示すように、本発明による構造が改良されたストローを使用する際、固体食品を含有したドリンクにストロー本体１０を差し込む。固体食品はタピオカ、フルーツの塊り、蒟蒻などである。一種類または一種類以上の固体食品をドリンクに加えることができる。続いて、ドリンク中のフルーツの塊り、蒟蒻などの食品を食べる際、ストロー本体１０の叉部１１でフルーツの塊り、蒟蒻などの食品を取り上げればよい。図５に示すように、ドリンクがなくなる際、ストロー本体１０に力を入れ、叉部１１を湾曲させ、ストロー本体１０を容器の底部に接触させれば、ストロー本体１０を吸い続け、ドリンクを飲み干すことができる。
【００２２】
（第２実施形態）
図６は本発明の第２実施形態による構造が改良されたストローである。第１実施形態との違いは次のとおりである。第２実施形態において、叉部１１は数が四つであり、ストロー本体１０の径方向に沿って相対する両側に二つずつ配置される。開口部１２は二つの第一開口部１２１および二つの第二開口部１２２からなる。二つの第一開口部１２１はストロー本体１０の径方向に沿って相対する両側に配置され、かつ異なる側辺の二つの叉部１１の間に位置付けられる。二つの第二開口部１２２はストロー本体１０の径方向に沿って相対する両側に配置され、かつ同じ側辺の二つの叉部１１の間に位置付けられる。
【００２３】
（第３実施形態）
図７に示すように、本発明の第３実施形態による構造が改良されたストローはストロー本体１０を備える。ストロー本体１０は一端に四つの叉部１１およびそれらの間に位置する四つの開口部１２を有する。四つの叉部１１は形と大きさが同じである。四つの開口部１２は形と大きさが同じである。
【００２４】
（第４実施形態）
図８は本発明の第４実施形態による構造が改良されたストローである。第３実施形態との違いは次のとおりである。第４実施形態において、叉部１１は周りに複数の歯部１１３を有するため、食品を刺して取り上げる際の摩擦力を叉部１１の歯部１１３によって増大させることができる。
【００２５】
上述したとおり、本発明による構造が改良されたストローは、周知のストローの開口部にドリンク中の固体物が詰まる、ドリンク中のフルーツスライスなどの比較的大きい固体物を刺しても取り上げることができないという問題を解決することができる。
【符号の説明】
【００２６】
（先行技術）
２０：管体、
２１：流体通路、
（本発明）
１０：チューブ、
１１：叉部、
１１１：本体部、
１１２：先端部、
１１３：歯部、
１２：開口部、
１２１：第一開口部、
１２２：第二開口部
【図１】
2018011954.tif 000003
【図２】
2018011954.tif 000004
【図３】
2018011954.tif 000005
【図４】
2018011954.tif 000006
【図５】
2018011954.tif 000007
【図６】
2018011954.tif 000008
【図７】
2018011954.tif 000009
【図８】
2018011954.tif 000010